(57)【要約】【課題】本発明の課題は、クレセントの掛具が掛部受具に嵌った施錠状態でも限定された移動量だけ引違窓等の上下の縦方向に移動可能であるクレセントを提供することである。【解決手段】本発明のクレセントでは、内側框に取り付けるクレセントの掛部は、軸と、これを回転の芯とする回転部と、回転部に一体に取りついた掛片及びハンドルと筐体を備え、前記回転軸が前記筐体に備えたガイド溝に可動的に嵌って支持されている。【選択図】図１
2016191219.tif 000002
【特許請求の範囲】
【請求項１】
引違い扉又は引違い窓の框に取り付けるクレセントであって、外側框に取り付ける掛部受け具と、内側框に取り付ける掛部を有し、前記掛部は、軸と、これを回転の芯とする回転部と、回転部に一体に取りついた掛片及びハンドルと筐体を備え、前記回転軸が前記筐体に備えたガイド溝に可動的に嵌って支持され、前記ガイド溝の長手方向に自由に可動することを可能としたことを特徴とするクレセント。
【請求項２】
前記軸と前記筐体の互いの間を弾性体で付勢することで、前記長手方向の可動に対して衝撃を緩和することを特徴とする請求項１記載のクレセント。
【請求項３】
前記筐体は、前記掛片と前記ハンドルのいずれか1つを外側に対して覆うカバーを備えたことを特徴とする請求項１又は請求項２記載のクレセント。
【請求項４】
前記カバーは、更に、前記軸と前記回転部とを覆うものであり、前記掛片と前記ハンドルとをはみ出すための開口部を備えたことを特徴とする請求項３記載のクレセント。
【発明の詳細な説明】
【技術分野】
【０００１】
本発明は、クレセントの掛具が掛部受具に嵌った施錠状態でも限定された移動量だけ引違窓等の上下方向に移動可能であるクレセントに関するものである。
【背景技術】
【０００２】
従来、クレセントは、主に引き違い扉や窓に取り付けられる。
図３は従来のクレセントを示す図である。
３−Ａにおいて、扉や窓等の引違枠を取付対象物とすれば、引違枠の室内側枠の立框に取付けられる、掛部本体３１００と、引違枠の室外側枠の立框に取付けられる、掛部受具３２００を備えている。掛部本体３１００は、基台３１１０とこれに回転自在に取り付けた
掛部３１２０を備え、基台３１１０には、室内側枠の立框に取り付けるためのネジ穴とネジ等の取付け具３１１１が付いている。掛部３１２０は、回転部３１２１とこれについて回転移動し、掛部受具３２００の嵌り溝３２０１に嵌り、又、外すことが可能な掛片３１２２と、回転部３１２１に取りついて回転をさせるハンドル３１２３を備えている。３−Ｂには、３−Ａのクレセントが室内外の両側の引違立框に取りついた状態を示している。
このような非常に単純な構成であり、ハンドルを手で回せば、容易に掛片３１２２が掛部受具３２００に嵌り施錠状態に、又、逆に回転して外せば、開錠状態になる。
窓等に沢山使用されている。このようなクレセントの欠点は、施錠状態では堅固に窓枠が互いに固定されるため、地震動などでの窓枠の瞬間的ゆがみの影響が大きく、第一の欠点として、窓ガラスの破損を招きやすいこと、或いは、第二の欠点として、歪みにより窓が開かなくなって避難に支障をきたすことなどがあげられる。
第一の欠点に対応することを目的としていないが、特許文献１で提案されたシリンダ錠は、
図４に示すようなものである。右側の図に示すようにシリンダを受ける溝がある長さを持っているので、シリンダは、この溝に嵌って、その長さの範囲内で自由にスライドできる。従来は、施錠せずにチェインなどで結合し開き加減を調整可能にしていたものである。すなわち、扉の開き加減を所望の状態にしたものである。換気の為に扉を所望の開き状態にしておきたいが、防犯上から完全な開放でなくしたいための対応であった。特許文献１はこれに対応するものであるが、一応の施錠を維持したまま、開きを可能としている。
シリンダ錠のシリンダは溝にかみ合っていて、溝は引違扉の開閉方向に対して作成が可能であるので、このような対応が取れた。シリンダ錠の特徴を生かせた提案である。
然しながら、クレセントはこのような対応はとれない。無理にとれば、掛部受け具から掛具が外れやすくなる。そして、換気を目的にしなければ、開きを確保する必要が無いのでこのように長い距離の移動可能性は必要がない。地震動などでの窓枠の瞬間的ゆがみの影響を回避するためだけならば、大きくても１０ｍｍ程度も動ければ十分だからである。
そして、クレセントにおいてこのような要求に対応するものは見当たらない。
第二の欠点に対しては、特許文２〜特許文６には、震動等を機械的に検知して機械的に開錠処理を行う錠装置が示されている。又、特許文献７〜特許文献９には、震動等を電気的に検知して電気機械的に開錠処理を行う錠装置が示されている。いずれも、クレセント錠自体が震動等を緩和する機能までを含んだものはない。
上記の従来例では、上下の縦の震動の衝撃を緩和するものは示されていない。
【先行技術文献】
【特許文献】
【０００３】
【特許文献１】特開２０００−２０４８１１
【特許文献２】特開２０１０−２２２９５５
【特許文献３】特開２０１３−２３８３１
【特許文献４】特開２０１４−１０１７３１
【特許文献５】特開２０１４−３７７５９
【特許文献６】特開２０１３−２２１３９２
【特許文献７】特開２０１３−１２４４５３
【特許文献８】特開２０１３−２２４５１７
【特許文献９】特開２０１３−１８１３３９
【発明の概要】
【発明が解決しようとする課題】
【０００４】
本発明の課題は、クレセントの掛具が掛部受具に嵌った施錠状態でも、掛具が、取りつけられた框に対して限定された移動量だけ引違窓等の上下の縦方向に移動可能であることで震動の衝撃を緩衝するクレセントを提供することである。
【課題を解決するための手段】
【０００５】
内側框に取り付けるクレセントの掛部は、軸と、これを回転の芯とする回転部と、回転部に一体に取りついた掛片及びハンドルと筐体を備え、前記回転軸が前記筐体に備えたガイド溝に可動的に嵌って支持されている。
【０００６】
請求項１記載の発明は、クレセントであって、
引違い扉又は引違い窓の框に取り付けるクレセントであって、外側框に取り付ける掛部受け具と、内側框に取り付ける掛部を有し、前記掛部は、軸と、これを回転の芯とする回転部と、回転部に一体に取りついた掛片及びハンドルと筐体を備え、前記回転軸が前記筐体に備えたガイド溝に可動的に嵌って支持され、前記ガイド溝の長手方向に自由に可動することを可能としたことを特徴とする。
【０００７】
請求項２記載の発明は、請求項１記載のクレセントにおいて、
前記軸と前記筐体の互いの間を弾性体で付勢することで、前記長手方向の可動に対して衝撃を緩和することを特徴とする。
【０００８】
請求項３記載の発明は、請求項１又は請求項２記載のクレセントにおいて、
前記筐体は、前記掛片と前記ハンドルのいずれか1つを外側に対して覆うカバーを備えたことを特徴とする。
【０００９】
請求項４記載の発明は、請求項３記載のクレセントにおいて、
前記カバーは、更に、前記軸と前記回転部とを覆うものであり、前記掛片と前記ハンドルとをはみ出すための開口部を備えたことを特徴とする。
【発明の効果】
【００１０】
以上のように構成されているので、本発明のクレセントでは、引違窓等の上下の縦方向の震動に対して、框に対してクレセントの掛片と掛け部受け具が所定の範囲で自在に動くことができるので、窓ガラスの破損を招きやすいことの不都合や、歪みにより窓が開かなくなって避難に支障をきたすことの不都合が回避できて極めて好都合な特徴が得られる。
【図面の簡単な説明】
【００１１】
【図１】本発明のクレセントの一実施態様を示す図である。
【図２】本発明のクレセントの他の実施態様を示す図である。
【図３】従来のクレセント実施態様を示す図である。
【図４】特許文献１のシリンダ錠を示す図である。
【発明を実施するための形態】
【００１２】
本発明によるクレセントは、引違い扉又は引違い窓の框に取り付けるものであって、外側框に取り付ける掛部受け具と、内側框に取り付ける掛部を有し、掛部は、軸と、これを回転の芯とする回転部と、回転部に一体に取りついた掛片及びハンドルと筐体を備え、回転軸が筐体に備えたガイド溝に可動的に嵌って支持され、ガイド溝の長手方向に自由に可動することを可能としたことを特徴とする。
以下、詳述する。
【００１３】
図１は、本発明によるクレセントの一実施態様を示す図である。
クレセントの図示しない掛け部受け具に嵌るための掛け部１００を示す。掛け部１００は、軸１１０とこれを回転軸（回転の芯）として回転する回転部１２０、回転部１２０に取りついており、回転により掛け部受け具に嵌り又外れる掛片１３０、回転部１２０に取りついて回転を行うためのハンドル１４０と、少なくとも軸１１０を把持し、扉の框に取り付けるための筐体１５０を備え、筐体１５０には、取りつけた時に上下の縦方向に長手の溝１６０があり、軸１１０は、溝１６０に嵌って抜けずに、長手方向にスライドするように軸保持部がある。筐体１５０には框に固定するためのネジ止め等の固定手段１７０がある。
従って、上下の震動に応じて框とクレセント掛け部１００が上下に所定の距離内で自由に動けるので、震動の衝撃を緩和することができる。
【００１４】
図２は、本発明のクレセントの他の実施態様を示す図である。
２−Ａにおいては、図１のものの筐体１５０の外側に面する側にカバー部Ａ２１０を備えたものである。これにより、外からハンドル１４０が操作できないようになるため、防犯上で都合がよい。
２−Ｂにおいては、筐体１５０からのカバー部Ｂ２２０が回転部１２０、掛片１３０、ハンドル１４０を内包するようにカバーされているが、掛片１３０とハンドル１４０を出す部分は、開口部Ａ２３０、開口部Ｂ２４０となっているものである。
【００１５】
尚、図示のように、全ての例において、軸１１０と筐体１５０の互いの間を弾性体で付勢することで、長手方向の可動に対して衝撃を緩和すると好都合である。
【産業上の利用可能性】
【００１６】
以上のように構成されているため、本発明のクレセントでは、クレセントの掛具が掛部受具に嵌った施錠状態でも、框に対して限定された移動量だけ引違窓等の上下、縦方向に移動可能であり、従来のクレセントの欠点、第一の欠点としての窓ガラスの破損を招きやすいこと、第二の欠点としての歪みにより窓が開かなくなって避難に支障をきたすことが忌避でき好都合であり、産業上利用性が極めて大きい。
【符号の説明】
【００１７】
１００  掛け部
１１０  軸
１２０  回転部
１３０  掛片
１４０  ハンドル
１５０  筐体
２１０  カバー部Ａ
２２０  カバー部Ｂ
２３０  開口部Ａ
２４０  開口部Ｂ
３１００  掛部本体
３１１０  基台
３１１１  取付け具
３１２０  掛部
３１２１  回転部
３１２２  掛片
３１２３  ハンドル
３２００  掛部受具
３２０１  嵌り溝
【図１】
2016191219.tif 000003
【図２】
2016191219.tif 000004
【図３】
2016191219.tif 000005
【図４】
2016191219.tif 000006